(57)【要約】【課題】  少ない部品点数で光ディスクの回転テーブルの回転軸の傾きを調整可能な光ディスク装置を提供する。【解決手段】  モータ取り付け板１１４は、シャーシ１１５との間において圧縮スプリングを介して固定用ビスと、ボス１２２とにより固定される。また、外部から単一の調整用ネジ１００が捻じ込めるような構造となっているものとする。当該構造により、調整用ネジ１００を捻じ込むことにより、モータ取り付け板１１４に応力が加わる。これにより、モータ取り付け板１１４の傾きが変化して、スピンドルモータ３の回転軸が傾くことになる。【選択図】        図３
2006269024.tif 000002
【特許請求の範囲】
【請求項１】
光ディスクを保持するディスクテーブルと、
前記ディスクテーブルを回転駆動するスピンドルモータと、
前記スピンドルモータを取り付けるモータ取り付け板と、
前記モータ取り付け板を支持する支持部材と、
前記支持部材を介してモータ取り付け板が固定されるシャーシと、
前記光ディスクに記録された信号を光ビームにより読み出したり、書き込んだりする光ピックアップと、
前記光ピックアップから出射される光ビームが前記光ディスクに対して照射される角度を調整する調整手段と、
前記光ピックアップから出力された信号に基づいてジッタ値を測定するジッタ測定手段と、
装置全体を制御する制御手段とを備え、
前記調整手段は、外部からの捻り込みにより前記モータ取り付け板の所定の１箇所と接触するネジ部を含み、
前記制御手段は、前記スピンドルモータを回転させて、前記ディスクテーブルを回転駆動させ、前記光ピックアップにより記録された信号を読み出し、読み出された信号に基づいて前記ジッタ測定手段によりジッタ値が測定され、
前記ジッタ測定手段からのジッタ値の測定結果に基づいて前記ネジ部の捻り込みにより前記モータ取り付け板を押圧することにより、前記スピンドルモータの回転駆動の回転軸の角度が調整され、
前記光ピックアップは、前記光ディスクの内周および外周の間の中周付近において実行され、
前記支持部材は、バネを含み、
前記モータ取り付け板は、前記バネを介して前記シャーシと結合され、固定される、光ディスク装置。
【請求項２】
光ディスクを保持するディスクテーブルと、
前記ディスクテーブルを回転駆動するスピンドルモータと、
前記スピンドルモータを取り付けるモータ取り付け板と、
前記モータ取り付け板を支持する支持部材と、
前記支持部材を介してモータ取り付け板が固定されるシャーシと、
前記光ディスクに記録された信号を光ビームにより読み出したり、書き込んだりする光ピックアップと、
前記光ピックアップから出射される光ビームが前記光ディスクに対して照射される角度を調整する調整手段と、
前記光ピックアップから出力された信号に基づいてジッタ値を測定するジッタ測定手段と、
装置全体を制御する制御手段とを備え、
前記調整手段は、外部からの捻り込みにより前記モータ取り付け板の所定の１箇所と接触するネジ部を含み、
前記制御手段は、前記スピンドルモータを回転させて、前記ディスクテーブルを回転駆動させ、前記光ピックアップにより記録された信号を読み出し、読み出された信号に基づいて前記ジッタ測定手段によりジッタ値が測定され、
前記ジッタ測定手段からのジッタ値の測定結果に基づいて前記ネジ部の捻り込みにより前記モータ取り付け板を押圧することにより、前記スピンドルモータの回転駆動の回転軸の角度が調整される、光ディスク装置。
【請求項３】
前記光ピックアップは、前記光ディスクの内周および外周の間の中周付近において実行される、請求項２記載の光ディスク装置。
【請求項４】
前記支持部材は、バネを含み、
前記モータ取り付け板は、前記バネを介して前記シャーシと結合され、固定される、請求項２記載の光ディスク装置。
【発明の詳細な説明】
【技術分野】
【０００１】
本発明は、ＤＶＤ（Digital Versatile Disc）等の光ディスクの記録あるいは読出が可能な光ディスク装置に関し、特に、光ディスクに対するピックアップの傾きを調整する調整機構に関する。
【背景技術】
【０００２】
従来より、光ディスクのドライブ装置の製造工程において、光ピックアップの光ディスクに対するスキュー角度を調整するスキュー調整が行なわれている。このスキュー調整は、光ピックアップが光ディスクにレーザ光を照射する際に、光ディスクと光ピックアップの光軸とが直交しないと、ディスク面にコマ収差が生じ、光ディスクのピットに焦点を合わせることができなくなり、正確にデータが再生できなくなることを防止するために行なわれる。
【０００３】
このスキュー調整について説明すると、光ディスクに対する光ピックアップのスキュー角を変化させながら光学系で光ディスクの反射光を検出し、ジッタを測定するジッタ測定部でジッタ値を測定する。そして、スキュー対ジッタ特性を求め、ジッタ最良点に対応するスキュー角を調整目的値として設定する。
【０００４】
例えば、特許文献１〜特許文献３等には、種々のスキュー角を調整する方式が開示されている。
【特許文献１】特開２００１−２０９９４７号公報
【特許文献２】特開２００３−８５８０３号公報
【特許文献３】特開２００４−８７０３１号公報
【発明の開示】
【発明が解決しようとする課題】
【０００５】
しかしながら、特許文献１および２に開示される方式は、光ピックアップ側を調整して光ディスクに対する光ピックアップのスキュー角を調整する方式について開示している。
【０００６】
この点、光ピックアップ側だけでなく、光ディスクの回転テーブルの回転軸の傾きを調整することによってもスキュー角を調整することが可能である。
【０００７】
特許文献３は、回転テーブルの回転軸を調整する方式を開示しており、具体的には、回転テーブルを回転させるモータを支持する部材の高さを調整することにより回転軸の傾きを調整している。
【０００８】
しかしながら、特許文献３には、複数のネジを用いてそれぞれのねじ込む量を調整して微調整を施すものであり、部品点数が多い。また、複数のネジを用いてモータを支持する部材の高さを調整する際、ネジ応力が部材にかかる箇所が複数となるため部材が変形する可能性が高くなるという可能性も考えられる。
【０００９】
本発明は、上記のような問題を解決するためになされたものであって、少ない部品点数で光ディスクの回転テーブルの回転軸の傾きを調整可能な光ディスク装置を提供することを目的とする。
【課題を解決するための手段】
【００１０】
本発明に係る光ディスク装置は、光ディスクを保持するディスクテーブルと、ディスクテーブルを回転駆動するスピンドルモータと、スピンドルモータを取り付けるモータ取り付け板と、モータ取り付け板を支持する支持部材と、支持部材を介してモータ取り付け板が固定されるシャーシと、光ディスクに記録された信号を光ビームにより読み出したり、書き込んだりする光ピックアップと、光ピックアップから出射される光ビームが光ディスクに対して照射される角度を調整する調整手段と、光ピックアップから出力された信号に基づいてジッタ値を測定するジッタ測定手段と、装置全体を制御する制御手段とを備える。調整手段は、外部からの捻り込みによりモータ取り付け板の所定の１箇所と接触するネジ部を含む。制御手段は、スピンドルモータを回転させて、ディスクテーブルを回転駆動させ、光ピックアップにより記録された信号を読み出し、読み出された信号に基づいてジッタ測定手段によりジッタ値が測定される。ジッタ測定手段からのジッタ値の測定結果に基づいてネジ部の捻り込みによりモータ取り付け板を押圧することにより、スピンドルモータの回転駆動の回転軸の角度が調整される。光ピックアップは、光ディスクの内周および外周の間の中周付近において実行される。支持部材は、バネを含む。モータ取り付け板は、バネを介してシャーシと結合され、固定される。
【００１１】
本発明に係る光ディスク装置は、光ディスクを保持するディスクテーブルと、ディスクテーブルを回転駆動するスピンドルモータと、スピンドルモータを取り付けるモータ取り付け板と、モータ取り付け板を支持する支持部材と、支持部材を介してモータ取り付け板が固定されるシャーシと、光ディスクに記録された信号を光ビームにより読み出したり、書き込んだりする光ピックアップと、光ピックアップから出射される光ビームが光ディスクに対して照射される角度を調整する調整手段と、光ピックアップから出力された信号に基づいてジッタ値を測定するジッタ測定手段と、装置全体を制御する制御手段とを備える。調整手段は、外部からの捻り込みによりモータ取り付け板の所定の１箇所と接触するネジ部を含む。制御手段は、スピンドルモータを回転させて、ディスクテーブルを回転駆動させ、光ピックアップにより記録された信号を読み出し、読み出された信号に基づいてジッタ測定手段によりジッタ値が測定される。ジッタ測定手段からのジッタ値の測定結果に基づいてネジ部の捻り込みによりモータ取り付け板を押圧することにより、スピンドルモータの回転駆動の回転軸の角度が調整される。
【００１２】
好ましくは、光ピックアップは、光ディスクの内周および外周の間の中周付近において実行される。
【００１３】
好ましくは、支持部材は、バネを含む。モータ取り付け板は、バネを介してシャーシと結合され、固定される。
【発明の効果】
【００１４】
本発明に係る光ディスク装置は、光ピックアップから出射される光ビームが光ディスクに対して照射される角度を調整する調整手段を備え、調整手段は、外部からの捻り込みによりモータ取り付け板の所定の１箇所と接触するネジ部を含む。したがって、簡易な構成で調整が可能であるためコストの低廉な光ディスク装置を提供できる。
【発明を実施するための最良の形態】
【００１５】
以下、本発明の実施の形態について図面を参照しながら詳細に説明する。なお、図中同一または相当部分には同一符号を付し、その説明は繰返さない。
【００１６】
図１は、本発明の実施の形態に従う光ディスク装置の概略ブロック図である。
【００１７】
図１を参照して、光ディスク装置１は、ＣＤやＤＶＤ等の同心円状又は渦巻状の情報記録トラックが形成された光ディスク７０に対して、音楽や映像等の情報の記録及び／又は再生を行なう。
【００１８】
光ディスク装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク装置１は、映像・音声信号入出力部１０と、リモコン１１と、リモコン受信部１２と、表示部１３と、ジッタ測定部１５及び上記各部を制御するための制御部２０を備えている。
【００１９】
なお、光ピックアップ４、信号処理部７、データスライス信号生成部８およびサーボ制御部９は情報読取手段を構成する。
【００２０】
ディスク挿入検知部２は、光ディスク７０が不図示のディスク挿入部から挿入されたことを検出し、その信号を制御部２０へ入力する。挿入された光ディスク７０は、スピンドルモータ３に装着される。スピンドルモータ３は、制御部２０からの指示に従い回転駆動され、装着された光ディスク７０が所定速度で回転するように制御する。
【００２１】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２２】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２３】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２４】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２５】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２６】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク７０面からのずれ量に対応する信号であり、トラックエラー信号は、集光点の記録トラックからのずれ量に対応する信号である。
【００２７】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２８】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００２９】
リモコン１１は、光ディスク装置１の各種の動作を操作するためのものであり、各種の動作を操作するための操作キー（何れも不図示）を備えている。リモコン７は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク装置１本体のフロントパネルに設けられ、リモコン１１により操作された内容や光ディスク装置１の動作状況等を表示する。
【００３０】
ジッタ測定部１５は、ジッタ測定のテストの際にデータスライス信号生成部８からのデータスライス信号を受けてジッタ値を測定して制御部２０に出力する。制御部２０は、その結果を表示部１３に表示することも可能である。ユーザは、表示部１３によりジッタ測定部１５に基づくジッタ値をモニタすることが可能である。
【００３１】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー信号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３２】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３３】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３４】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３５】
上記構成の光ディスク装置１は、制御部２０による制御のもと、リモコン１１を操作することにより、光ディスク７０からの情報の再生や、光ディスク７０への情報の記録等を行なう。また、光ディスク装置１は、制御部２０による制御のもと、光ディスク７０が挿入されると、光ディスク７０の最内周側に記録されている情報を読取る初期動作を行なう。そして、初期動作で読取った情報に基づいて、挿入された光ディスク７０の種類や記録内容を判断し、その後の情報の記録や再生等の動作を制御する。
【００３６】
以下においては、特に、光ディスク７０に対する光ピックアップのスキュー角の調整について説明する。具体的には、光ディスク７０の回転テーブルの回転軸の傾きを調整する方式について説明する。
【００３７】
図２は、光ディスクの回転機構およびその周辺の構成図である。ここでは、上方から回転テーブル方向に見た場合の図が示されている。
【００３８】
図２を参照して、光ディスクは、図示しないディスク誘導機構により、スピンドルモータ３に取り付けられ、固定された回転テーブル１１２の上面に載せられた後、図示しないマグネット等により発生する吸引力により、ディスククランパ１１３と回転テーブル１１２の間に挟まれた状態で、スピンドルモータ３と一体となって回転する。
【００３９】
スピンドルモータ３は、モータ取り付け板１１４に対して強固に取り付けられており、後述する調整機構を介してシャーシ１１５に固定されている。
【００４０】
光ピックアップ４のディスク半径方向移動の案内を行なう２本のガイド軸１１７は、４個の固定部材１１８を介してシャーシ１１５に取り付け固定されている。光ピックアップ４は、ガイド軸１１７に沿って、移動モータにより駆動され、ディスク半径方向に自在に移動する。
【００４１】
次に、調整機構の構成について説明する。
【００４２】
図３は、光ディスクの回転機構の側面図である。
【００４３】
図３を参照して、スピンドルモータ３は、モータ取り付け板１１４に装着されている。
【００４４】
モータ取り付け板１１４は、ボス１２２等の支持部材によりシャーシ１１５との間で固定されている。また、位置決め用ガイドピン１２４によりモータ取り付け板１１４の所定の位置にスピンドルモータ３が取り付けられる。
【００４５】
さらに、モータ取り付け板１１４と接触するように調整用ネジ１００が設けられている。また、シャーシ１１５とモータ取り付け板１１４との間のボス１２２等の支持部材の外周には、圧縮スプリングが挟み込まれている。
【００４６】
図４は、モータ取り付け板１１４とシャーシ１１５との間の接続を説明する図である。
【００４７】
図４に示されるように圧縮スプリング１０４を介して固定用ビス１０２と、ボス１２２とにより固定される。また、圧縮スプリング１０５を介して固定用ビス１０３と、ボス１２３とにより固定される。また、外部から調整用ネジ１００が捻じ込めるような構造となっているものとする。当該構造により、調整用ネジ１００を捻じ込むことにより、モータ取り付け板１１４に応力が加わる。これにより、支持部材は、圧縮スプリングを介する構造であり、モータ取り付け板１１４の傾きが変化する。すなわち、スピンドルモータ３の回転軸が傾くことになる。
【００４８】
本願発明は、単一の調整用ネジ１００により外部から調整用ネジを捻じ込むことによりモータ取り付け板１１４の傾きを変化させてスピンドルモータ３の回転軸の傾きを調整する。そして、シャーシ１１５には、外部から調整用ネジを捻じ込む位置として複数の調整穴を設けておくものとする。図２においては、調整穴の一例として３つの調整穴Ｈ１〜Ｈ３が示されている。
【００４９】
ユーザは、光ピックアップ４により読み出されたＲＦ信号の品質を示すジッタ値をモニタしながら、複数の調整穴の所定の調整穴に調整用ネジを捻じ込むことにより種々の方向にスピンドルモータ３の回転軸を傾けて調整することが可能となる。
【００５０】
本願構成により、調整用ネジは１つとしてモータ取り付け板１１４の１箇所に応力を与えることにより、スピンドルモータ３の回転軸を調整してジッタ値の調整が可能となり、部品点数を削減してコストの低廉な光ディスク装置を提供することができる。また、調整用ネジにより応力が与えられる箇所は一箇所であるため部材の変形という問題も抑制することも可能である。
【００５１】
また、回転軸の傾きを調整する際、ディスクの内周と外周との間の中周付近において、ジッタ値をモニタして最適な値に設定する。これにより、傾きの変位を最内周と最外周とに振り分けることで、変位を約１／２に抑えることが可能となる。中周付近においてのジッタ測定としては、ディスクのＴＯＣ情報を読み出してスタートアドレスとエンドアドレスとに基づいて中周のアドレスを識別してピックアップ４を移動させることにより実現可能である。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】本発明の実施の形態に従う光ディスク装置の概略ブロック図である。
【図２】光ディスクの回転機構およびその周辺の構成図である。
【図３】光ディスクの回転機構の側面図である。
【図４】モータ取り付け板１１４とシャーシ１１５との間の接続を説明する図である。
【符号の説明】
【００５４】
１  光ディスク装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  ジッタ測定部、２０  制御部、１００  調整用ネジ、１０２，１０３  固定用ビス、１０４，１０５  圧縮スプリング、１１２  回転テーブル、１１３  ディスククランパ、１１４  モータ取り付け板、１１５  シャーシ、１２２  ボス。
【図１】
2006269024.tif 000003
【図２】
2006269024.tif 000004
【図３】
2006269024.tif 000005
【図４】
2006269024.tif 000006